(57)【要約】【課題】アナログ放送信号およびデジタル放送信号を受信するとともに受信特性の劣化を防ぐことが可能なチューナを提供する。【解決手段】チューナは、アナログ放送信号およびデジタル放送信号を受信して受信信号を出力する受信部１と、受信信号をＩＦ信号に周波数変換するミキサ回路１６〜１８と、周波数変換されたＩＦ信号を分配する分配回路３１と、分配されたＩＦ信号を復調してアナログ放送信号に対応する信号を生成するアナログ放送用復調回路３０と、分配されたＩＦ信号を復調してデジタル放送信号に対応する信号を生成するデジタル放送用復調回路３９と、アナログ放送用復調回路３０に電力を供給するかデジタル放送用復調回路３９に電力を供給するかを切り替える電力切り替え回路５２とを備える。【選択図】図１
2007329569.tif 000002
【特許請求の範囲】
【請求項１】
アナログ放送信号およびデジタル放送信号を受信して受信信号を出力する受信部と、
前記受信信号をＩＦ信号に周波数変換するミキサ回路と、
前記周波数変換されたＩＦ信号を分配する分配回路と、
前記分配されたＩＦ信号を復調して前記アナログ放送信号に対応する信号を生成するアナログ放送用復調回路と、
前記分配されたＩＦ信号を復調して前記デジタル放送信号に対応する信号を生成するデジタル放送用復調回路と、
前記アナログ放送用復調回路に電力を供給するか前記デジタル放送用復調回路に電力を供給するかを切り替える電力切り替え回路とを備えるチューナ。
【請求項２】
前記チューナは、さらに、
前記受信信号を減衰させる減衰回路と、
前記減衰回路を通過した信号を増幅する第１の増幅回路とを備え、
前記ミキサ回路は、前記増幅された信号をＩＦ信号に周波数変換し、
前記チューナは、さらに、
前記分配されたＩＦ信号のレベルを検出する検波回路を備え、
前記減衰回路は、前記検波回路の検出結果に基づいて前記受信信号を減衰させ、
前記第１の増幅回路は、前記検波回路の検出結果に基づいて、前記減衰回路を通過した信号を増幅する請求項１記載のチューナ。
【請求項３】
前記受信部は、複数個の周波数バンドにおける前記アナログ放送信号および前記デジタル放送信号を受信して受信信号を出力し、
前記チューナは、さらに、
前記受信信号を減衰させる減衰回路と、
前記減衰回路を通過した信号を増幅する第２の増幅回路と、
前記第２の増幅回路で増幅された信号を前記周波数バンドごとに分波する分波回路と、
前記周波数バンドに対応して配置され、前記分波された信号を増幅する複数個の第１の増幅回路とを備え、
前記ミキサ回路は、前記周波数バンドに対応して複数個配置され、前記第１の増幅回路で増幅された信号をＩＦ信号に周波数変換し、
前記チューナは、さらに、
前記複数個の第１の増幅回路に選択的に電力を供給する電力供給制御回路を備える請求項１記載のチューナ。
【請求項４】
アナログ放送信号およびデジタル放送信号を受信して受信信号を出力する受信部と、
前記受信信号を減衰させる減衰回路と、
前記減衰回路を通過した信号を増幅する第１の増幅回路と、
前記増幅された信号をＩＦ信号にそれぞれ周波数変換するミキサ回路と、
前記周波数変換されたＩＦ信号を分配する分配回路と、
前記分配されたＩＦ信号のレベルを検出し、前記レベル検出結果を表わすＡＧＣ信号を出力する検波回路と、
前記分配されたＩＦ信号を復調して前記アナログ放送信号に対応する信号を生成し、前記復調後の信号に基づいてＡＧＣ信号を出力するアナログ放送用復調回路と、
前記分配されたＩＦ信号を復調して前記デジタル放送信号に対応する信号を生成するデジタル放送用復調回路と、
前記検波回路からのＡＧＣ信号および前記アナログ放送用復調回路からのＡＧＣ信号のいずれかを選択して出力するＡＧＣ切り替え回路とを備え、
前記減衰回路は、前記ＡＧＣ切り替え回路から受けたＡＧＣ信号に基づいて前記受信信号を減衰させ、
前記第１の増幅回路は、前記ＡＧＣ切り替え回路から受けたＡＧＣ信号に基づいて、前記減衰回路を通過した信号を増幅するチューナ。
【請求項５】
前記減衰回路は、前記ＡＧＣ信号の表わす信号レベルが第１の所定値以上の場合には前記受信信号を減衰させ、前記ＡＧＣ信号の表わす信号レベルが前記第１の所定値未満の場合には前記受信信号を減衰させず、
前記第１の増幅回路は、前記ＡＧＣ信号の表わす信号レベルが第２の所定値未満の場合には前記減衰回路を通過した信号を所定のゲインで増幅し、前記ＡＧＣ信号の表わす信号レベルが前記第２の所定値以上の場合には前記減衰回路を通過した信号を前記所定のゲインより低いゲインで増幅する請求項４記載のチューナ。
【請求項６】
前記チューナは、さらに、
前記ＡＧＣ切り替え回路を制御して、前記チューナが前記アナログ放送信号を処理する場合には前記アナログ放送用復調回路からのＡＧＣ信号を選択し、前記チューナが前記デジタル放送信号を処理する場合には前記検波回路からのＡＧＣ信号を選択するＡＧＣ切り替え制御回路を備える請求項４記載のチューナ。
【請求項７】
前記チューナは、さらに、
前記デジタル放送用復調回路、前記検波回路および前記アナログ放送用復調回路にそれぞれ電力を供給するか否かを切り替える電力切り替え回路を備える請求項４記載のチューナ。
【請求項８】
前記チューナは、さらに、
前記ＡＧＣ切り替え回路を制御して、前記チューナが前記アナログ放送信号を処理する場合には前記アナログ放送用復調回路からのＡＧＣ信号を選択し、前記チューナが前記デジタル放送信号を処理する場合には前記検波回路からのＡＧＣ信号を選択するＡＧＣ切り替え制御回路と、
前記電力切り替え回路を制御して、前記チューナが前記アナログ放送信号を処理する場合には前記アナログ放送用復調回路に電力を供給し、かつ前記検波回路および前記デジタル放送用復調回路への電力供給を停止し、前記チューナが前記デジタル放送信号を処理する場合には前記検波回路および前記デジタル放送用復調回路に電力を供給し、かつ前記アナログ放送用復調回路への電力供給を停止する電力供給制御回路とを備える請求項７記載のチューナ。
【請求項９】
前記受信部は、複数個の周波数バンドにおける前記アナログ放送信号および前記デジタル放送信号を受信して受信信号を出力し、
前記チューナは、さらに、
前記減衰回路を通過した信号を増幅する第２の増幅回路と、
前記第２の増幅回路で増幅された信号を前記周波数バンドごとに分波する分波回路とを備え、
前記第１の増幅回路は、前記周波数バンドに対応して複数個配置され、前記分波された信号を増幅し、
前記ミキサ回路は、前記周波数バンドに対応して複数個配置され、前記第１の増幅回路で増幅された信号をＩＦ信号に周波数変換し、
前記チューナは、さらに、
前記複数個の第１の増幅回路に選択的に電力を供給する電力供給制御回路を備える請求項４記載のチューナ。
【発明の詳細な説明】
【技術分野】
【０００１】
本発明は、チューナに関し、特にアナログ放送信号およびデジタル放送信号を受信するチューナに関する。
【背景技術】
【０００２】
アナログのテレビジョン放送が開始されて５０年が経過し、テレビの保有世帯が２０００万世帯から３０００万世帯となっている。日本ではようやく２００３年にデジタル地上波放送が開始され、２０１１年にはアナログ放送が停止されることになっている。このため、アナログ放送の信号のみならずデジタル地上波放送の信号を受信することができるチューナが要求されている。このような放送波数の増大に対応して、テレビジョン信号受信用チューナは、妨害波の除去性能の向上がますます要求されている。
【０００３】
テレビジョン信号受信用チューナは、たとえば米国向けのチューナでは、４７０〜８６０ＭＨｚを受信するＵＨＦ（Ultra High Frequency）バンドと、１７０〜４７０ＭＨｚを受信するＶＨＦ（Very High Frequency）ハイバンドと、５４〜１７０ＭＨｚを受信するＶＨＦローバンドとに分割され、バンドごとに受信回路を有する。ただし、バンドがどのように分割されるかは仕向け地により異なり、特に規定されていない。従来のテレビジョン信号受信用チューナでは、一般に、シングルコンバージョン方式（スーパーヘテロダイン方式）が用いられる。
【０００４】
ここで、シングルコンバージョン方式（スーパーヘテロダイン方式）とは、無線通信の受信機において、受信した高周波信号と局部発振信号とを乗算することにより、高周波信号を、高周波信号および局部発振信号の周波数の差である中間周波数（ＩＦ（Intermediate Frequency）周波数）に周波数変換し、ＩＦ信号を増幅したあとに復調等の受信処理を行なう方式である。
【０００５】
たとえば、特許文献１には、以下のようなチューナ（受信機）が開示されている。すなわち、変調された高周波信号を選局して復調する受信機において、入力として供給される高周波信号の入力レベルに対して非線形領域を有する回路と、非線形領域を有する回路に前置された第１の利得可変回路と、非線形領域を有する回路に後置された第２の利得可変回路と、第２の利得可変回路から出力される信号のレベルに応じて第１，第２の利得可変回路の利得を制御するものであって、受信機への高周波信号の入力レベルが基準レベル以下の場合には第２の利得可変回路による利得制御を動作させ、入力レベルが基準レベルを越えた場合には第１の利得可変回路による利得制御を動作させるとともに第２の利得可変回路の利得をほぼ一定に維持させるように切り替える利得制御部と、第２の利得可変回路の後段に設けられて受信品位を検出する受信品位検出手段と、利得制御部における基準レベルを設定するものであって、その基準レベルは受信品位検出手段にて検出した受信品位に応じて変化可能な基準レベル設定手段とを備える。
【特許文献１】特許第３７１０６５８号公報
【発明の開示】
【発明が解決しようとする課題】
【０００６】
しかしながら、特許文献１記載のチューナは、デジタル放送信号のみを受信する構成である。また、特許文献１記載のチューナを２個組み合わせてアナログ放送信号およびデジタル放送信号を受信することは可能であるが、アナログ放送信号およびデジタル放送信号の両方を１台のチューナで受信することに起因する受信特性の劣化を防ぐ構成は特許文献１には開示されていない。
【０００７】
それゆえに、本発明の目的は、アナログ放送信号およびデジタル放送信号を受信するとともに受信特性の劣化を防ぐことが可能なチューナを提供することである。
【課題を解決するための手段】
【０００８】
上記課題を解決するために、この発明のある局面に係わるチューナは、アナログ放送信号およびデジタル放送信号を受信して受信信号を出力する受信部と、受信信号をＩＦ信号に周波数変換するミキサ回路と、周波数変換されたＩＦ信号を分配する分配回路と、分配されたＩＦ信号を復調してアナログ放送信号に対応する信号を生成するアナログ放送用復調回路と、分配されたＩＦ信号を復調してデジタル放送信号に対応する信号を生成するデジタル放送用復調回路と、アナログ放送用復調回路に電力を供給するかデジタル放送用復調回路に電力を供給するかを切り替える電力切り替え回路とを備える。
【０００９】
好ましくは、チューナは、さらに、受信信号を減衰させる減衰回路と、減衰回路を通過した信号を増幅する第１の増幅回路とを備え、ミキサ回路は、増幅された信号をＩＦ信号に周波数変換し、チューナは、さらに、分配されたＩＦ信号のレベルを検出する検波回路を備え、減衰回路は、検波回路の検出結果に基づいて受信信号を減衰させ、第１の増幅回路は、検波回路の検出結果に基づいて、減衰回路を通過した信号を増幅する。
【００１０】
好ましくは、受信部は、複数個の周波数バンドにおけるアナログ放送信号およびデジタル放送信号を受信して受信信号を出力し、チューナは、さらに、受信信号を減衰させる減衰回路と、減衰回路を通過した信号を増幅する第２の増幅回路と、第２の増幅回路で増幅された信号を周波数バンドごとに分波する分波回路と、周波数バンドに対応して配置され、分波された信号を増幅する複数個の第１の増幅回路とを備え、ミキサ回路は、周波数バンドに対応して複数個配置され、第１の増幅回路で増幅された信号をＩＦ信号に周波数変換し、チューナは、さらに、複数個の第１の増幅回路に選択的に電力を供給する電力供給制御回路を備える。
【００１１】
また、この発明のさらに別の局面に係わるチューナは、アナログ放送信号およびデジタル放送信号を受信して受信信号を出力する受信部と、受信信号を減衰させる減衰回路と、減衰回路を通過した信号を増幅する第１の増幅回路と、増幅された信号をＩＦ信号にそれぞれ周波数変換するミキサ回路と、周波数変換されたＩＦ信号を分配する分配回路と、分配されたＩＦ信号のレベルを検出し、レベル検出結果を表わすＡＧＣ信号を出力する検波回路と、分配されたＩＦ信号を復調してアナログ放送信号に対応する信号を生成し、復調後の信号に基づいてＡＧＣ信号を出力するアナログ放送用復調回路と、分配されたＩＦ信号を復調してデジタル放送信号に対応する信号を生成するデジタル放送用復調回路と、検波回路からのＡＧＣ信号およびアナログ放送用復調回路からのＡＧＣ信号のいずれかを選択して出力するＡＧＣ切り替え回路とを備え、減衰回路は、ＡＧＣ切り替え回路から受けたＡＧＣ信号に基づいて受信信号を減衰させ、第１の増幅回路は、ＡＧＣ切り替え回路から受けたＡＧＣ信号に基づいて、減衰回路を通過した信号を増幅する。
【００１２】
好ましくは、減衰回路は、ＡＧＣ信号の表わす信号レベルが第１の所定値以上の場合には受信信号を減衰させ、ＡＧＣ信号の表わす信号レベルが第１の所定値未満の場合には受信信号を減衰させず、第１の増幅回路は、ＡＧＣ信号の表わす信号レベルが第２の所定値未満の場合には減衰回路を通過した信号を所定のゲインで増幅し、ＡＧＣ信号の表わす信号レベルが第２の所定値以上の場合には減衰回路を通過した信号を所定のゲインより低いゲインで増幅する。
【００１３】
好ましくは、チューナは、さらに、ＡＧＣ切り替え回路を制御して、チューナがアナログ放送信号を処理する場合にはアナログ放送用復調回路からのＡＧＣ信号を選択し、チューナがデジタル放送信号を処理する場合には検波回路からのＡＧＣ信号を選択するＡＧＣ切り替え制御回路を備える。
【００１４】
好ましくは、チューナは、さらに、デジタル放送用復調回路、検波回路およびアナログ放送用復調回路にそれぞれ電力を供給するか否かを切り替える電力切り替え回路を備える。
【００１５】
より好ましくは、チューナは、さらに、ＡＧＣ切り替え回路を制御して、チューナがアナログ放送信号を処理する場合にはアナログ放送用復調回路からのＡＧＣ信号を選択し、チューナがデジタル放送信号を処理する場合には検波回路からのＡＧＣ信号を選択するＡＧＣ切り替え制御回路と、電力切り替え回路を制御して、チューナがアナログ放送信号を処理する場合にはアナログ放送用復調回路に電力を供給し、かつ検波回路およびデジタル放送用復調回路への電力供給を停止し、チューナがデジタル放送信号を処理する場合には検波回路およびデジタル放送用復調回路に電力を供給し、かつアナログ放送用復調回路への電力供給を停止する電力供給制御回路とを備える。
【００１６】
好ましくは、受信部は、複数個の周波数バンドにおけるアナログ放送信号およびデジタル放送信号を受信して受信信号を出力し、チューナは、さらに、減衰回路を通過した信号を増幅する第２の増幅回路と、第２の増幅回路で増幅された信号を周波数バンドごとに分波する分波回路とを備え、第１の増幅回路は、周波数バンドに対応して複数個配置され、分波された信号を増幅し、ミキサ回路は、周波数バンドに対応して複数個配置され、第１の増幅回路で増幅された信号をＩＦ信号に周波数変換し、チューナは、さらに、複数個の第１の増幅回路に選択的に電力を供給する電力供給制御回路を備える。
【発明の効果】
【００１７】
本発明によれば、アナログ放送信号およびデジタル放送信号を受信するとともに受信特性の劣化を防ぐことができる。
【発明を実施するための最良の形態】
【００１８】
以下、この発明の実施の形態について図面を参照して詳しく説明する。なお、図中同一符号は同一または相当部分を示す。
【００１９】
［構成および基本動作］
図１は、本発明の実施の形態に係るシングルコンバージョン方式のチューナの構成を示す機能ブロック図である。
【００２０】
図１を参照して、チューナ１００は、入力端子（受信部）１と、ハイパスフィルタ（ＩＦフィルタ）２と、広帯域増幅回路（第２の増幅回路）３と、入力信号分波回路４と、高周波増幅入力同調回路７〜９と、高周波増幅回路（第１の増幅回路）１０〜１２と、高周波増幅出力同調回路１３〜１５と、混合回路（ミキサ）１６〜１８と、局部発振回路１９〜２１と、中間周波増幅回路２２と、ＩＦ信号分配増幅回路（分配回路）３１と、ＡＭ（Amplitude Modulation）検波回路２７と、デジタルＳＡＷ（Surface Acoustic Wave）フィルタ２３と、中間周波増幅回路２４と、デジタル放送用復調回路３９と、アナログＳＡＷフィルタ３２と、アナログ放送用復調回路３０と、ＡＧＣ（Automatic Gain Control）モニタ端子２９と、電力切り替え回路３５と、ＡＧＣ切り替え回路３４と、電源供給端子Ｂ１およびＢ２と、ＩＦＡＧＣ端子２８と、ＡＶ出力端子３３と、抵抗Ｒ３６およびＲ３７と、ＰＩＮアッテネータ回路（減衰回路）３８と、ＡＧＣ切り替え制御回路５１と、電力供給制御回路５２とを備える。
【００２１】
混合回路（ミキサ）１６〜１８と、局部発振回路１９〜２１と、中間周波増幅回路２２とは、ＭＯＰ集積回路２６に含まれる。ＭＯＰ集積回路２６は、一般にアナログ放送用のチューナに使用されており、デジタル放送用に主に必要となるＡＭ検波回路２７等を含むＭＯＰ集積回路の価格の約１／２である。したがって、本発明の実施の形態に係るチューナでは、製造コストの低減を図ることができる。
【００２２】
ハイパスフィルタ２は、５ＭＨｚから４６ＭＨｚを減衰域とし、ＶＨＦローバンドの最低周波数である５４ＭＨｚ以上を通過域とするハイパスフィルタである。ハイパスフィルタ２は、入力端子１において受信した地上波放送のテレビジョン信号（放送信号）のうち、５ＭＨｚから４６ＭＨｚの周波数成分を減衰させる。
【００２３】
ＰＩＮアッテネータ回路３８は、ＡＧＣ切り替え回路３４から受けたＡＧＣ信号に基づいて、ハイパスフィルタ２を通過した放送信号を減衰させる。
【００２４】
広帯域増幅回路３は、ＰＩＮアッテネータ回路３８を通過した放送信号のうち、たとえば５４ＭＨｚ〜８６０ＭＨｚの周波数成分を増幅して出力する。
【００２５】
入力信号分波回路４は、広帯域増幅回路３から受けた放送信号を、周波数バンドごとに分波する。すなわち、入力信号分波回路４は、広帯域増幅回路３から受けた放送信号のうち、ＵＨＦバンドに対応する放送信号（以下、ＵＨＦ信号とも称する。）を高周波増幅入力同調回路７に出力し、ＶＨＦハイバンドに対応する放送信号（以下、ＶＨＦハイ信号とも称する。）を高周波増幅入力同調回路８に出力し、ＶＨＦローバンド（以下、ＶＨＦロー信号とも称する。）に対応する放送信号を高周波増幅入力同調回路９に出力する。
【００２６】
高周波増幅入力同調回路７は、図示しない選局信号に基づいて特定のチャネルの周波数を選択し、入力信号分波回路４から受けたＵＨＦ信号を同調して出力する。ここで、同調とは、ある特定の周波数の成分をもつ信号を共振により増幅させることをいい、その周波数以外の成分を相対的に減衰させる効果を有する。
【００２７】
高周波増幅入力同調回路８は、図示しない選局信号に基づいて特定のチャネルの周波数を選択し、入力信号分波回路４から受けたＶＨＦハイ信号を同調して出力する。
【００２８】
高周波増幅入力同調回路９は、図示しない選局信号に基づいて特定のチャネルの周波数を選択し、入力信号分波回路４から受けたＶＨＦロー信号を同調して出力する。
【００２９】
高周波増幅回路１０〜１２は、ＡＧＣ切り替え回路３４から受けたＡＧＣ信号に基づいて、入力信号分波回路４から受けたＵＨＦ信号、ＶＨＦハイ信号およびＶＨＦロー信号をそれぞれ増幅する。
【００３０】
出力同調回路１３〜１５は、図示しない選局信号に基づいて特定のチャネルの周波数を選択し、高周波増幅回路１０〜１２から受けたＵＨＦ信号、ＶＨＦハイ信号およびＶＨＦロー信号をそれぞれ同調する。
【００３１】
ミキサ回路１６〜１８は、局部発振回路１９〜２１から局部発振信号を受けて、出力同調回路１３〜１５から受けたＵＨＦ信号、ＶＨＦハイ信号およびＶＨＦロー信号をそれぞれＩＦ信号に周波数変換する。
【００３２】
中間周波増幅回路２２は、ミキサ回路１６〜１８から受けたＩＦ信号を増幅して出力する。
【００３３】
アナログＳＡＷフィルタ３２はバンドパスフィルタであり、中間周波増幅回路２２から受けたＩＦ信号のうち、所定の周波数帯域外の周波数成分を減衰させる。
【００３４】
アナログ放送用復調回路３０は、アナログＳＡＷフィルタ３２を通過したＩＦ信号を復調してアナログ放送信号に対応する信号（以下、アナログ復調信号とも称する。）を生成し、ＡＶ出力端子３３から外部へ出力する。アナログ放送用復調回路３０は、アナログ復調信号のレベルを検出し、検出結果を表わすＡＧＣ信号をＡＧＣ切り替え回路３４に出力する。
【００３５】
ＩＦ信号分配増幅回路３１は、中間周波増幅回路２２から受けたＩＦ信号を増幅してＡＭ検波回路２７およびデジタルＳＡＷフィルタ２３に分配する。
【００３６】
ＡＭ検波回路２７は、ＩＦ信号分配増幅回路３１から受けたＩＦ信号のレベルを検出し、検出結果をＡＧＣ信号としてＡＧＣ切り替え回路３４に出力する。
【００３７】
デジタルＳＡＷフィルタ２３はバンドパスフィルタであり、ＩＦ信号分配増幅回路３１から受けたＩＦ信号のうち、所定の周波数帯域外の周波数成分を減衰させる。
【００３８】
中間周波増幅回路２４は、図示しないＡＧＣ回路を含む。図示しないＡＧＣ回路は、ＩＦＡＧＣ端子２８を介して受けたＩＦＡＧＣ信号に基づいて、デジタルＳＡＷフィルタ２３を通過したＩＦ信号をデジタル放送用復調回路３９に適した入力レベルに増幅する。
【００３９】
デジタル放送用復調回路３９は、中間周波増幅回路２４から受けたＩＦ信号を復調してデジタル放送信号に対応する信号を生成して外部へ出力する。
【００４０】
ＡＧＣ切り替え回路３４は、ＡＧＣ切り替え制御回路５１の制御に基づいて、ＡＭ検波回路２７から受けたＡＧＣ信号およびアナログ放送用復調回路３０から受けたＡＧＣ信号のいずれかを選択して出力する。
【００４１】
電力切り替え回路３５は、３個のスイッチを含む。電力切り替え回路３５は、電力供給制御回路５２の制御に基づいて、デジタル放送用復調回路３９、ＡＭ検波回路２７およびアナログ放送用復調回路３０にそれぞれ電力を供給する否かを切り替える。
【００４２】
図２は、チューナの入力端子から高周波増幅回路までの構成を示す回路図である。
図２を参照して、チューナ１００は、さらに、同調端子ＴＵと、コンデンサＣＣ１およびＣＣ２と、コンデンサＣＤ１〜ＣＤ３と、コンデンサＣＥ１と、電力供給制御回路５３とを備える。
【００４３】
ＰＩＮアッテネータ回路３８は、ＰＩＮダイオードＤ１およびＤ２と、抵抗Ｒ７〜Ｒ９と、コンデンサＣＣ３およびＣＣ４と、たとえばＮ型ＦＥＴであるインバータＱ１と、チョークコイルＬ４と、電源供給端子Ｂ３とを含む。入力信号分波回路４は、コイルＬＵ，ＬＨ，ＬＬを含む。
【００４４】
高周波増幅回路１０は、高周波増幅器Ｇ１と、コンデンサＣＥ２〜ＣＥ４，ＣＥ１１と、チョークコイルＬ１と、抵抗Ｒ１およびＲ２とを含む。高周波増幅回路１１は、高周波増幅器Ｇ２と、コンデンサＣＥ５〜ＣＥ７と、チョークコイルＬ２と、抵抗Ｒ３およびＲ４とを含む。高周波増幅回路１２は、高周波増幅器Ｇ３と、コンデンサＣＥ８〜ＣＥ１０と、チョークコイルＬ３と、抵抗Ｒ５およびＲ６とを含む。
【００４５】
ＰＩＮアッテネータ回路３８において、コイルＣＣ１の一端がハイパスフィルタ２の出力に接続され、他端が抵抗Ｒ７の一端と、ＰＩＮダイオードＤ１およびＤ２のカソードとに接続される。ＰＩＮダイオードＤ１のアノードがチョークコイルＬ４の一端と、コンデンサＣＣ２の一端とに接続される。ＰＩＮダイオードＤ２のアノードがコンデンサＣＣ３の一端と、抵抗Ｒ８およびＲ９の一端とに接続される。チョークコイルＬ４の他端がコンデンサＣＣ４の一端と、インバータＱ１のソースに接続される。抵抗Ｒ９の他端が電源供給端子Ｂ３と、インバータＱ１のドレインとに接続される。
【００４６】
入力信号分波回路４において、コイルＬＵの一端が広帯域増幅回路３の出力と、コイルＬＨの一端とに接続され、他端が高周波増幅入力同調回路７の入力に接続される。コイルＬＨの他端が高周波増幅入力同調回路８の入力と、コイルＬＬの一端とに接続される。コイルＬＬの他端が高周波増幅入力同調回路９の入力に接続される。
【００４７】
高周波増幅回路１０において、高周波増幅器Ｇ１の第１の入力が抵抗Ｒ１の一端と、コンデンサＣＤ１を介して高周波増幅入力同調回路７の出力とに接続され、第２の入力がコンデンサＣＥ１１の一端と、抵抗Ｒ２の一端とに接続される。抵抗Ｒ１の他端と、コンデンサＣＥ２の一端と、電力供給制御回路５３の出力とが接続される。抵抗Ｒ２の他端がコンデンサＣＥ３の一端と、高周波増幅器Ｇ２の第２の入力とに接続される。高周波増幅器Ｇ１の第１の出力がチョークコイルＬ１の一端に接続される。チョークコイルＬ１の他端とコンデンサＣＥ４の一端とが接続される。
【００４８】
高周波増幅回路１１において、高周波増幅器Ｇ２の第１の入力が抵抗Ｒ３の一端と、コンデンサＣＤ２を介して高周波増幅入力同調回路８の出力とに接続され、第２の入力が抵抗Ｒ４の一端とに接続される。抵抗Ｒ３の他端と、コンデンサＣＥ５の一端と、電力供給制御回路５３の出力とが接続される。抵抗Ｒ４の他端がコンデンサＣＥ６の一端と、高周波増幅器Ｇ３の第２の入力とに接続される。高周波増幅器Ｇ２の第１の出力がチョークコイルＬ２の一端に接続される。チョークコイルＬ２の他端とコンデンサＣＥ７の一端とが接続される。
【００４９】
高周波増幅回路１２において、高周波増幅器Ｇ３の第１の入力が抵抗Ｒ５の一端と、コンデンサＣＤ３を介して高周波増幅入力同調回路９の出力とに接続され、第２の入力が抵抗Ｒ６の一端とに接続される。抵抗Ｒ５の他端と、コンデンサＣＥ８の一端と、電力供給制御回路５３の出力とが接続される。抵抗Ｒ６の他端がコンデンサＣＥ９の一端に接続される。高周波増幅器Ｇ３の第１の出力がチョークコイルＬ３の一端に接続される。チョークコイルＬ３の他端とコンデンサＣＥ１０の一端とが接続される。
【００５０】
電源供給端子Ｂ１が、コイルＬ１の他端と、コイルＬ２の他端と、コイルＬ３の他端と、コンデンサＣＥ１０の一端と、抵抗Ｒ３６の一端とに接続される。
【００５１】
抵抗Ｒ３６の他端と、抵抗Ｒ６の他端と、抵抗Ｒ３７の一端と、インバータＱ１のゲートと、ＡＧＣモニタ端子２９とがＡＧＣ切り替え回路３４の出力に接続される。
【００５２】
抵抗Ｒ７およびＲ８の他端と、コンデンサＣＣ３およびＣＣ４の他端と、コンデンサＣＥ１〜ＣＥ１１の他端と、高周波増幅器Ｇ１〜Ｇ３の第２の出力と、抵抗Ｒ３７の他端とが接地電位に接続される。
【００５３】
インバータＱ１は、ＡＧＣ切り替え回路３４から出力される電圧すなわちＡＧＣ信号に基づいてＰＩＮダイオードＤ１およびＤ２に電流を供給する。抵抗Ｒ７〜Ｒ９の抵抗値を調整することによってＰＩＮダイオードＤ１およびＤ２の減衰量を変更することができる。
【００５４】
チューナ１００の外部から同調端子ＴＵを介して高周波増幅入力同調回路７〜９に選局信号が入力される。
【００５５】
コイルＬＵは、広帯域増幅回路３から受けた放送信号のうち、ＵＨＦバンドに対応する放送信号以外の周波数成分を減衰させる。コイルＬＨは、広帯域増幅回路３から受けた放送信号のうち、ＶＨＦハイバンドおよびＶＨＦローバンドに対応する放送信号以外の周波数成分を減衰させる。コイルＬＬは、コイルＬＨを通過した放送信号のうち、ＶＨＦハイバンドに対応する周波数成分を減衰させる。
【００５６】
電力供給制御回路５３は、高周波増幅回路１０〜１２に電力を選択的に供給する。より詳細には、電力供給制御回路５３は、電力供給端子Ｂ４から入力される電力を、高周波増幅回路１０に電力ＢＵとして供給するか、高周波増幅回路１１に電力ＢＨとして供給するか、あるいは高周波増幅回路１２に電力ＢＬとして供給するかを切り替える。
【００５７】
このような構成により、ＵＨＦバンドに対応する信号、ＶＨＦハイバンドに対応する信号およびＶＨＦローバンドに対応する信号を選択的に中間周波増幅回路２２に出力することができ、周波数バンド選択を行なうことができる。
【００５８】
図３は、ＩＦ信号分配増幅回路の構成を示す図である。
図３を参照して、ＩＦ信号分配増幅回路３１は、抵抗Ｒ１０〜Ｒ１２と、コンデンサＣＤ１２〜ＣＤ１４と、トランジスタＱ２と、チョークコイルＬ５と、電源供給端子Ｂ５とを含む。
【００５９】
トランジスタＱ２のベースがコンデンサＣＤ１１の一端と、抵抗Ｒ１０およびＲ１１の一端と、コンデンサＣＤ１４の一端とに接続され、コレクタがチョークコイルＬ５の一端と、コンデンサＣＤ１２の一端とに接続され、エミッタがコンデンサＣＤ１３の一端と、抵抗Ｒ１２の一端とに接続される。コンデンサＣＤ１１の他端が中間周波増幅回路２２の出力に接続される。抵抗Ｒ１０の他端と、チョークコイルＬ５の他端とが電源供給端子Ｂ５に接続される。コンデンサＣＤ１２の他端がＡＭ検波回路２７の入力に接続される。コンデンサＣＤ１３の他端がデジタルＳＡＷフィルタ２３の入力に接続される。コンデンサＣＤ１４の他端がアナログＳＡＷフィルタ３２の入力に接続される。抵抗Ｒ１１およびＲ１２の他端が接地電位に接続される。
【００６０】
中間周波増幅回路２２の出力信号は、トランジスタＱ２のベースおよびアナログＳＡＷフィルタ３２に分配される。
【００６１】
トランジスタＱ２等で構成されるエミッタフォロワ回路の出力信号がデジタルＳＡＷフィルタ２３を介してデジタル放送用復調回路３９に入力される。
【００６２】
トランジスタＱ２等で構成される増幅回路の出力信号がＡＭ検波回路２７に入力される。
【００６３】
図４は、ＩＦ信号分配増幅回路の他の例の構成を示す図である。
図４を参照して、ＩＦ信号分配増幅回路３１は、抵抗Ｒ１３〜Ｒ１８と、コンデンサＣＤ１５〜ＣＤ１９と、コンデンサＣＥ２１と、トランジスタＱ３およびＱ４と、チョークコイルＬ６と、電源供給端子Ｂ６とを含む。
【００６４】
トランジスタＱ３のベースがコンデンサＣＤ１５の一端と、抵抗Ｒ１３およびＲ１４の一端と、コンデンサＣＤ１７の一端とに接続され、コレクタがチョークコイルＬ６の一端と、コンデンサＣＤ１６の一端とに接続され、エミッタが抵抗Ｒ１５の一端とに接続される。コンデンサＣＤ１５の他端が中間周波増幅回路２２の出力に接続される。抵抗Ｒ１３の他端と、チョークコイルＬ６の他端とが電源供給端子Ｂ６に接続される。コンデンサＣＤ１６の他端がアナログＳＡＷフィルタ３２の入力に接続される。コンデンサＣＤ１７の他端がＡＭ検波回路２７の入力に接続される。
【００６５】
トランジスタＱ４のベースがコンデンサＣＤ１８の一端と、抵抗Ｒ１６およびＲ１７の一端とに接続され、コレクタがコンデンサＣＥ２１の一端と、抵抗Ｒ１６の他端と、電源供給端子Ｂ６とに接続され、エミッタが抵抗Ｒ１８の一端と、コンデンサＣＤ１９の一端とに接続される。コンデンサＣＤ１８の他端が中間周波増幅回路２２の出力に接続される。コンデンサＣＤ１９の他端がデジタルＳＡＷフィルタ２３の入力に接続される。抵抗Ｒ１４〜Ｒ１８の他端と、コンデンサＣＥ２１の他端とが接地電位に接続される。
【００６６】
中間周波増幅回路２２の出力信号は、トランジスタＱ３およびＱ４のベースならびにＡＭ検波回路２７に分配される。
【００６７】
トランジスタＱ３等で構成される増幅回路の出力信号がアナログＳＡＷフィルタ３２に入力される。このような構成により、アナログＳＡＷフィルタ３２の通過損失が大きい場合でも所定レベルの信号をアナログ放送用復調回路３０に入力することができる。
【００６８】
トランジスタＱ４等で構成されるエミッタフォロワ回路の出力信号がデジタルＳＡＷフィルタ２３を介してデジタル放送用復調回路３９に入力される。
【００６９】
図５は、ＩＦ信号分配増幅回路の他の例の構成を示す図である。
図５を参照して、ＩＦ信号分配増幅回路３１は、コンデンサＣＤ２０と、２分配トランスＴとを含む。
【００７０】
中間周波増幅回路２２の出力信号は、２分配トランスＴおよびＡＭ検波回路２７に分配される。
【００７１】
２分配トランスＴは、中間周波増幅回路２２から受けたＩＦ信号をデジタルＳＡＷフィルタ２３およびアナログＳＡＷフィルタ３２に分配する。
【００７２】
図３〜図５に示すＩＦ信号分配増幅回路３１では、デジタルＳＡＷフィルタ２３およびアナログＳＡＷフィルタ３２間の干渉を防ぐことができる。
【００７３】
次に、本発明の実施の形態に係るチューナの動作について説明する。
［動作］
再び図１を参照して、電力供給制御回路５２は、電力切り替え回路３５を制御して、チューナ１００がアナログ放送信号を処理する場合にはアナログ放送用復調回路３０に電力を供給し、かつＡＭ検波回路２７およびデジタル放送用復調回路３９への電力供給を停止し、チューナ１００がデジタル放送信号を処理する場合にはＡＭ検波回路２７およびデジタル放送用復調回路３９に電力を供給し、かつアナログ放送用復調回路３０への電力供給を停止する。
【００７４】
このような構成により、未使用回路の誤動作を防ぐことができ、かつチューナ１００の消費電力を低減することができる。また、アナログ放送信号用の回路およびデジタル放送信号用の回路間の干渉を防ぐことができる。すなわち、本発明の実施の形態に係るチューナでは、アナログ放送信号およびデジタル放送信号を受信するとともに受信特性の劣化を防ぐことができる。
【００７５】
ＡＧＣ切り替え制御回路５１は、ＡＧＣ切り替え回路３４を制御して、チューナ１００がアナログ放送信号を処理する場合にはアナログ放送用復調回路３０からのＡＧＣ信号を選択し、チューナ１００がデジタル放送信号を処理する場合にはＡＭ検波回路２７からのＡＧＣ信号を選択する。
【００７６】
このような構成により、放送信号の種類に応じてＡＧＣ処理を最適化し、良好なＣＮＲ（Carrier to Noise Ratio）および混変調特性を得ることができる。すなわち、本発明の実施の形態に係るチューナでは、アナログ放送信号およびデジタル放送信号を受信するとともに受信特性の劣化を防ぐことができる。
【００７７】
ＰＩＮアッテネータ回路３８は、ＡＧＣ切り替え回路３４から受けたＡＧＣ信号の表わす信号レベルが第１の所定値以上、たとえば７０ｄＢｕＶ以上の場合には入力信号を減衰させ、ＡＧＣ信号の表わす信号レベルが第１の所定値未満、たとえば７０ｄＢｕＶ未満の場合には入力信号を減衰させない。
【００７８】
高周波増幅回路１０〜１２は、ＡＧＣ切り替え回路３４から受けたＡＧＣ信号の表わす信号レベルが第２の所定値未満、たとえば６０ｄＢｕＶ未満の場合には入力信号を所定の最大ゲインで増幅し、ＡＧＣ信号の表わす信号レベルが第２の所定値以上、たとえば６０ｄＢｕＶ以上の場合には所定の最大ゲインより低いゲインで入力信号を増幅する。たとえば、高周波増幅回路１０〜１２は、ＡＧＣ信号の表わす信号レベルが６０ｄＢｕＶから大きくなるにつれて徐々にゲインを低くする。
【００７９】
ここで、第１の所定値および第２の所定値は、抵抗Ｒ３６および抵抗Ｒ３７の抵抗値を調整することにより変更することができる。
【００８０】
また、一般的なシングルコンバージョン方式のチューナではフェイズノイズ特性が保証されておらず、１ｋＨｚオフセットで−５０ｄＢｃ／Ｈｚ以下のフェイズノイズ特性となる場合が多い。しかしながら、本発明の実施の形態に係るチューナでは、ＭＯＰ集積回路２６は、放送信号の周波数バンドに対応して局部発振回路およびミキサ回路を３個ずつ含む。このように、各周波数バンドに対応する局部発振回路およびミキサ回路を独立に設けることにより、ミキサ回路の負荷を軽減することができ、１ｋＨｚオフセットで−５０ｄＢｃ／Ｈｚ以上、また１０ｋＨｚオフセットで−８０ｄＢｃ／Ｈｚ以上の良好なフェイズノイズ特性を得ることができる。このため、デジタル放送信号の変調方式であるＱＡＭ（Quadrature Amplitude Modulation）変調方式、ＶＳＢ（Vestigial Side Band）変調方式、ＡＴＳＣ（Advanced Television Systems Committee）変調方式および８ＰＳＫ（Phase Shift Keying）変調方式等を使用するチューナにおいて所定の受信品質を確保することができる。
【００８１】
また、各周波数バンドに対応する局部発振回路およびミキサ回路等を独立に設けることにより、たとえば局部発振信号および高周波増幅回路の出力信号のトラッキング特性を周波数バンドごとに最適化することが可能となる。
【００８２】
また、デジタル放送信号はアナログ放送信号と比べて隣接チャネル妨害波の除去レベルを大きくする必要があり、たとえばＩＦ信号をＡＭ検波した結果に基づいてＡＧＣ処理が行なわれる。そこで、本発明の実施の形態に係るチューナでは、ＩＦ信号分配増幅回路３１がＩＦ信号をＡＭ検波回路２７に分配する。そして、ＡＭ検波回路２７は、ＩＦ信号分配増幅回路３１から受けたＩＦ信号のレベルを検出し、検出結果をＡＧＣ信号として出力する。このような構成により、アナログ放送用のＭＯＰ集積回路２６を使用して製造コストの低減を図るとともに、デジタル放送信号に適したＡＧＣ処理を行なうことができる。
【００８３】
また、一般に、アナログ放送信号は受信電力が９０ｄＢｕＶ〜１００ｄＢｕＶと大きく、デジタル放送信号の受信電力はアナログ放送信号と比べて約１０ｄＢｕＶ小さい。このため、チューナがデジタル放送信号を処理する場合には広帯域増幅回路３で信号を増幅することでＣＮを改善する必要があるが、アナログ放送信号を処理する場合には広帯域増幅回路３で信号が増幅されることによって混信が発生しやすくなる。しかしながら、本発明の実施の形態に係るチューナでは、ＰＩＮアッテネータ回路３８は、ＡＧＣ切り替え回路３４から受けたＡＧＣ信号に基づいて、ハイパスフィルタ２を通過した放送信号を減衰させて広帯域増幅回路３に出力する。そして、ＰＩＮアッテネータ回路３８は、ＡＧＣ信号の表わす信号レベルに基づいて、放送信号を減衰させるか否かを切り替える。このような構成により、放送信号のレベルに応じて受信処理を適切に行なうことができる。
【００８４】
また、チューナが、入力信号分波回路４の代わりに、周波数バンドごとの放送信号を切り替えて出力する入力信号切り替え回路を備える構成では、ダイオード等のスイッチ素子を使用する必要がある。このような構成のチューナにおいて、放送信号の受信レベルが大きい場合には入力信号切り替え回路におけるスイッチ素子で歪みが発生し、チューナの受信特性が劣化してしまう。したがって、本発明の実施の形態に係るチューナのように、広帯域増幅回路３から受けた放送信号を周波数バンドごとに分波する入力信号分波回路４を備える構成により、放送信号の受信レベルが大きい場合でも受信特性が劣化することを防ぐことができる。また、ダイオード等のスイッチ素子を使用する必要がなくなることで、回路規模を小さくすることができる。
【００８５】
また、本発明の実施の形態に係るチューナは、デジタル妨害、アナログ妨害および同一チャネル妨害等を規定しているＡＲＩＢ−７４規格を満足することが確認されている。
【００８６】
なお、デジタル放送用復調回路３９は、チューナ１００の外部に配置される構成であってもよい。
【００８７】
また、チューナ１００がＡＧＣ切り替え回路３４を備えない構成であってもよい。たとえば、チューナ１００がアナログ放送信号を処理する場合およびデジタル放送信号を処理する場合のいずれにおいても、ＰＩＮアッテネータ回路３８および高周波増幅回路１０〜１２がＡＭ検波回路２７からのＡＧＣ信号に基づいて入力信号の減衰および増幅を行なう構成とすることができる。
【００８８】
今回開示された実施の形態はすべての点で例示であって制限的なものではないと考えられるべきである。本発明の範囲は上記した説明ではなく、特許請求の範囲によって示され、特許請求の範囲と均等の意味および範囲内でのすべての変更が含まれることが意図される。
【図面の簡単な説明】
【００８９】
【図１】本発明の実施の形態に係るシングルコンバージョン方式のチューナの構成を示す機能ブロック図である。
【図２】チューナの入力端子から高周波増幅回路までの構成を示す回路図である。
【図３】ＩＦ信号分配増幅回路の構成を示す図である。
【図４】ＩＦ信号分配増幅回路の他の例の構成を示す図である。
【図５】ＩＦ信号分配増幅回路の他の例の構成を示す図である。
【符号の説明】
【００９０】
１  入力端子（受信部）、２  ハイパスフィルタ（ＩＦフィルタ）、３  広帯域増幅回路（第２の増幅回路）、４  入力信号分波回路、７〜９  高周波増幅入力同調回路、１０〜１２  高周波増幅回路（第１の増幅回路）、１３〜１５  高周波増幅出力同調回路、１６〜１８  混合回路（ミキサ）、１９〜２１  局部発振回路、２２  中間周波増幅回路、２３  デジタルＳＡＷフィルタ、２４  中間周波増幅回路、２６  ＭＯＰ集積回路、２７  ＡＭ検波回路、２８  ＩＦＡＧＣ端子、２９  ＡＧＣモニタ端子、３０  アナログ放送用復調回路、３１  ＩＦ信号分配増幅回路（分配回路）、３２  アナログＳＡＷフィルタ、３３  ＡＶ出力端子、３４  ＡＧＣ切り替え回路、３５  電力切り替え回路、３８  ＰＩＮアッテネータ回路（減衰回路）、３９  デジタル放送用復調回路、５１  ＡＧＣ切り替え制御回路、５２  電力供給制御回路、５３  電力供給制御回路、１００  チューナ、Ｂ１〜Ｂ６  電源供給端子、Ｒ３〜Ｒ１８，Ｒ３６，Ｒ３７  抵抗、ＴＵ  同調端子、ＣＣ１〜ＣＣ４，ＣＤ１〜ＣＤ３，ＣＤ１２〜ＣＤ２０，ＣＥ１〜ＣＥ１１，ＣＥ２１  コンデンサ、Ｄ１，Ｄ２  ＰＩＮダイオード、Ｑ１  インバータ、Ｑ２〜Ｑ４  トランジスタ、Ｌ１〜Ｌ６  チョークコイル、ＬＵ，ＬＨ，ＬＬ  コイル、Ｇ１〜Ｇ３  高周波増幅器、Ｔ  ２分配トランス。
【図１】
2007329569.tif 000003
【図２】
2007329569.tif 000004
【図３】
2007329569.tif 000005
【図４】
2007329569.tif 000006
【図５】
2007329569.tif 000007